(57)【要約】 【課題】  本発明は、作業員が本雪止め具を屋根面に取付け施工する際に使用するボルト，ナットの螺子類への作業工具の取扱いを支障なく円滑に行うことができる手段から成る装置を提供することを目的とする。 【解決手段】  適当長さの長方形状に形成した台枠座材１上に、適当間隔をおいて全体が三角形状に成る支持杆材の縦杆部７及び斜杆部８間に横連杆１０を架設して成る雪止め具材６・・・を設置し、前記台枠座材の前側板材適所に取付固定具１１・・を外側方に開口して設置し、これを螺子にて緊締閉口するように成る屋根用雪止め具の取付装置である。【選択図】    図１
2016117999.tif 000002
【特許請求の範囲】
【請求項１】
長方形状に形成した台枠座材上に、適当間隔をおいて全体が三角形状に成る支持杆部間において横連杆を架設して成る雪止め具材を設置し、前記台枠座材の前側板材適所に取付け固定具を外側方に開口して設置し、これを螺子により緊締閉口して成ることを特徴とする屋根用雪止め具の取付装置。
【発明の詳細な説明】
【技術分野】
【０００１】
本発明は、屋根における雪止め具の取付装置に関するものである。
【背景技術】
【０００２】
本発明者は、同一発明者の出願にかかる特願２０１１−８９０１０号（特開２０１２−２２９６０２号）における技術を改良するために特願２０１４−２１３１６１号に係る屋根用雪止め具を発明したが、これは任意形状に成る長尺の杆材製の雪止め部材を被套する基台部材の内側部において屋根面への取付固定具を設置して成るものであるから、積雪が取付固定具に直接接触しないようになり、雪止め部材との固定維持力は十分となり、また屋根全面に設置される雪止め部材の屋根面における外観はきわめて良好な状態に保持されるという効果はあるものの、作業員による取付け施工の作業が円滑かつ迅速にはできず、取付け作業に困難を起こす欠点があった。
【先行技術文献】
【特許文献】
【０００３】
【特許文献１】特願２０１４−２１３１６１号
【発明の概要】
【発明が解決しようとする課題】
【０００４】
そこで、本発明は、作業員が本雪止め具を屋根面に取付け施工する際に使用するボルト，ナットの螺子類への作業工具の取扱いが、支障なく円滑に行うことができる手段から成る装置を提供することを目的とするものである。
【課題を解決するための手段】
【０００５】
本発明は、適当長さの長方形状に形成した台枠座材上に、適当間隔をおいて全体が三角形状に成る支持杆材の縦杆部及び斜杆部間に横連杆を架設して成る雪止め具材を設置し、前記台枠座材の前側板材適所に取付固定具を外側方に開口して設置し、これを螺子にて緊締閉口するように成るものである。
【発明の効果】
【０００６】
本発明は、長方形状に成る台枠座材上に設置した雪止め具材にあっては、前記台枠座材の前側板材の適所に取付固定具を外側方に開口設置していることから、雪止め具材の取付固定具が雪止め具材に近接した位置に設置していることにより、積雪による加圧力を直接受けることなく安定状態を保持ができる効果があるとともに、本雪止め具材の屋根面への取付け施工の作業を楽に円滑かつ迅速に行うことができる効果がある。
【０００７】
また、雪止め具材を取付けたことによる屋根面の美観を毀損することなく、良好に保持することができる。
【図面の簡単な説明】
【０００８】
【図１】実施例１の一部拡大斜視図
【図２】図１の平面図
【図３】図１の右側面図
【図４】実施例２の一部拡大斜視図
【図５】図４の平面図
【図６】図４の右側面図
【発明を実施するための形態】
【０００９】
いずれの長尺の立体形状に成る雪止め具材にあっても、屋根面における取付け状態は、雪止め具材を軒方向に向けた棟方向の位置に設置するものであるから、取付け作業員は法面の上向きにある取付固定具に向かって楽に作業することができる。
【００１０】
即ち、作業員は、雪止め具材の後側部に突出している取付固定具の開口部上に突設するボルトに螺合するナットをスパナ等の作業工具によって緊締すればよいことになる。
【００１１】
これによって、開口部の基板部に挟持されている屋根板部分に向かって挟持力が良好に加圧して固定されるようになる。
【実施例１】
【００１２】
１は全体が適当長さの長方形状に成る台枠座材で、この台枠座材は４個の座部材２，２，２，２から成る。この座部材２は底板３と台板４とから成り、座部材の一端部は長尺の連板５によって連結される。
【００１３】
６・・・は比較的細径の杆材から成る雪止め具材で、この雪止め具材は縦杆部７と斜杆部８と底杆部９とを有する三角形状に成るとともに、全杆部材を構成する縦杆部７と斜杆部８と底杆部９との間には横連杆１０・・を架設しによって連結する。
【００１４】
１１・・は外側方に開口し，後端部１１‘を前記長尺連板５に係合する取付固定具で、この取付固定具は基板部１２と咬合板部１３とをボルト１４により連結し、このボルトに螺合するナット１５により緊締固定する。
【００１５】
１６は複数の前記取付固定具１１・・の基板部１２の下側部間に架設連結する支杆である。
【実施例２】
【００１６】
２１は全体が適当長さの長方形状の板材から成る台枠座材で、この台枠座材の後側部寄りの左右両側部間には連板２２を架設する。
【００１７】
２３は比較的細径の杆材によって構成する雪止め具材で、この雪止め具材は、前記台枠座材２１上に間隔をおいて立設した三角杆材２４，２４，２４，２４とこの三角杆材の左右両側部間には水平に架設した横連杆２５・・とこの横連杆の上下間に接して架設する波形杆材２６・・とによって構成する。
【００１８】
前記三角杆材２４，２４，２４，２４のうち、最左右側部の三角杆材の中心部には支杆材２４’，２４’を介装する。
【００１９】
２７，２７，２７は外側方に開口し、後記基板部２８の内端部２８’を前記長尺連板２２に係合する取付固定具で、この取付固定具は基板部２８と咬合板部２９とはボルト３０により連結し、このボルトに螺合するナット３１により緊締固定する。
【００２０】
前記基板部２８よりさらに後側は支部の左右両側部間には、外側連板３２が架設する。
【００２１】
この取付固定具２７の個数は通常２個以上とする。
【００２２】
前記取付固定具２７の基板部２８は、前記台枠座材２１の後側端部の外側連板３２部上に位置するようになる。
【符号の説明】
【００２３】
１                            台枠座材
２，２，２，２                座部材
３                            底板
４                            台板
５                            連板
６・・・                      雪止め具材
７                            縦杆部
８                            斜杆部
９                            底杆部
１０                          横連杆
１１・・                      取付固定具
１１’                        後端部
１２                          基板部
１３                          咬合板部
１４                          ボルト
１５                          ナット
１６                          支杆
２１                          台枠座材
２２                          連板
２３                          雪止め具材
２４，２４，２４，２４        三角杆材
２５・・                      横連杆
２６・・                      波形杆材
２７                          取付固定具
２８                          基板部
２８’                        内端部
２９                          咬合板部
３０                          ボルト
３１                          ナット
３２                          外側連板
【図１】
2016117999.tif 000003
【図２】
2016117999.tif 000004
【図３】
2016117999.tif 000005
【図４】
2016117999.tif 000006
【図５】
2016117999.tif 000007
【図６】
2016117999.tif 000008
【手続補正書】
【提出日】平成27年2月18日(2015.2.18)
【手続補正１】
【補正対象書類名】明細書
【補正対象項目名】全文
【補正方法】変更
【補正の内容】
【発明の詳細な説明】
【技術分野】
【０００１】
本発明は、屋根における雪止め具の取付装置に関するものである。
【背景技術】
【０００２】
本発明者は、同一発明者の出願にかかる特願２０１１−８９０１０号（特開２０１２−２２９６０２号）における技術を改良するために特願２０１４−２１３１６１号に係る屋根用雪止め具を発明したが、これは任意形状に成る長尺の杆材製の雪止め部材を被套する基台部材の内側部内において屋根面への取付固定具を設置して成るものであるから、積雪が取付固定具に直接接触しないようになり、雪止め部材との固定維持力は十分となり、また屋根全面に設置される雪止め部材の屋根面における外観は良好な状態に保持されるという効果はあるものの、作業員による取付け施工の作業が常に円滑かつ迅速にはできず、取付け作業に困難を起こす欠点があった。
【先行技術文献】
【特許文献】
【０００３】
【特許文献１】特願２０１４−２１３１６１号
【発明の概要】
【発明が解決しようとする課題】
【０００４】
そこで、本発明は、作業員が本雪止め具を屋根面に取付け施工する際に使用するボルト，ナットの螺子類への作業工具の取扱いを、支障なく円滑に行うことができる構成から成る手段を提供することを目的とするものである。
【課題を解決するための手段】
【０００５】
本発明は、適当長さの長方形状に構成した台枠座材上に、全体が三角立体形状に成る長尺の支持杆材の各斜杆部間に横連杆を架設して成る雪止め具材を設置し、前記台枠座材の後側部分の適所に基板部と咬合板部から成る取付固定具を，前記雪止め具材の後側部分から外側方向に開口して設置して成るものである。
【０００６】
本発明は、適当長さの長方形状に構成した台枠座材上に、全体が三角立体形状に成る長尺の支持杆材の縦杆部間及び斜杆部間にそれぞれ横連杆を架設して成る雪止め具材を設置し、前記台枠座材の後側部分の適所に基板部と咬合板部から成る取付固定具を，前記雪止め具材の後側部分から外側方向に開口して設置し、この取付固定具の基板部と咬合板部とは螺子にて緊締閉口するようにし、前記取付固定具の基板部の底面部は前記台枠座材の左右両端側部間に架設した支杆又は支板に載置して成るとともに該取付固定具の後端部は前記台枠座材の左右両側端部間に架設した中連杆の適所に係合して成るものである。
【発明の効果】
【０００７】
本発明は、長方形状に成る台枠座材上に設置した雪止め具材は、前記台枠座材の左右両側部間に架設した支杆又は支杆の適所に、取付固定具を雪止め具材の後側部分から外側方向に開口設置していることから、雪止め具材全体の取付固定具は雪止め具材から完全に離れた位置に設置されていることになり、屋根面における取付け作業員は立体的に立設した本雪止め具材に邪魔されることなく屋根面への取付け施工の作業を円滑かつ迅速に行うことができるのである。
【０００８】
また、雪止め具材を取付けたことによる屋根面全体の美観を毀損することなく、良好に保持することができるのである。
【図面の簡単な説明】
【０００９】
【図１】実施例１の一部拡大斜視図
【図２】図１の平面図
【図３】図１の右側面図
【図４】実施例２の一部拡大斜視図
【図５】図４の平面図
【図６】図４の右側面図
【発明を実施するための形態】
【００１０】
いずれの長尺の三角立体形状に成る雪止め具材にあっても、屋根面における取付け状態は、雪止め具材を棟方向から軒方向に向けた位置に設置するものであるから、取付け作業員は法面の上向き位置にある複数の取付固定具に対して楽に作業することができる。
【００１１】
即ち、作業員は、雪止め具材の後側部分から外側方向に突出している取付固定具の基板部とは咬合板部との開口部上に突設するボルトに螺合するナットを、スパナ等の作業工具によって確実に緊締すればよいことになる。
【００１２】
これによって、前記取付固定具の開口部の基板部と咬合板部との間に挟持されている屋根板部分に対して挟持力が良好に加圧して取付け固定されるようになる。
【実施例１】
【００１３】
実施例１については図１乃至図３に示す。
【００１４】
１は全体が適当長さの長方形状に成る台枠座材で、この台枠座材は、左右両側端部及びその左右中間部には底板３・・・を配置するとともに各底板上に台板４・・・を設けるが、この底板３・・・と台板４・・・とを組み合わせた底面部分の部材を座部材２・・・という。
【００１５】
５は前記台枠座材１の左右中間部に設けた座部材２・・・の後側部寄り位置間に架設した長尺の中連板で、この中連板には後記取付固定具１１・・の基板部１２・・の曲折後端部１２’・・がそれぞれ係合するようになる。
【００１６】
６は全体を比較的細径の杆材によって構成した雪止め具材で、この雪止め具材は縦杆部７・・と斜杆部８・・と底杆部９・・の三角形状材を多数個、適当間隔をおいて横連杆１０・・を架設し連接して構成する。
【００１７】
１１・・は基板部１２と咬合板部１３とがいずれも外側方向に開口した取付固定具で、ここに外側方向に開口したとは、図１によって明らかなように、前記雪止め具材６の後側部分を基準としてその外側方向に設置し開口状態にあることを意味するとともに、雪止め具材との接触関係がないことを意味する。
【００１８】
取付固定具１１の開口部がこのような状態下に設置されることによって、その基板部１２と咬合板部１３との上下開口部間に連結するボルト１４へのナット１５の螺合作業は常に安楽かつ確実に行うことができるようになるのである。
【００１９】
前記取付固定具１１・・の基板部１２・・の曲折後端部１２’・・は、前記中連板５の適当位置にそれぞれ係合するようになる。
【００２０】
１６は前記台枠座材１の左右両側端部にある座部材２，２の底板３，３の後側部間に架設した支杆で、この支杆上には前記取付固定具１１・・の基板部１２・・が載置するようになる。
【実施例２】
【００２１】
実施例２については、図４乃至図６に示す。
【００２２】
２１は全体が適当長さの長方形状に成る台枠座材で、この台枠座材の左右両側端部には底板２０，２０を配置するとともにこの左右両底板の後端部間には支板３２を架設するとともに前端部間には前支板３２’を架設する。
【００２３】
２２は前記左右両台枠座材２１における後側部寄りの位置間に架設した中連板で、この中連板には後記取付固定具２７・・の基板部２８・・の曲折後端部２８’・・がそれぞれ係合するようになる。
【００２４】
２３は全体を比較的細径の杆材によって構成した雪止め具材で、この雪止め具材は、前記台枠座材２１上に間隔をおいて立設した多数の三角杆材２４・・・とこの三角杆材の前端部の左右両側端部間には水平に架設する横連杆２５・・と三角杆材の上下部間に接して架設する波形杆材２６・・とによって構成する。
【００２５】
前記三角杆材２４・・・のうち、左右側端部における三角杆材の中心部には支杆材２４’，２４’を介装する。
【００２６】
２７・・は基板部２８・・と咬合板部２９・・とがいずれも外側方向に開口した取付固定具で、ここに外側方向に開口したとは、図４によって明らかなように、前記雪止め具材２３の後側部分を基準としてその外側方向に設置し開口状態にあることを意味するとともに雪止め具材との接触関係がないことを意味する。
【００２７】
取付固定具２７の開口部がこのような状態下に設置されることによって、その基板部２８と咬合板部２９との間に連結するボルト３０へのナット３１の螺合作業は常に安楽かつ確実に行うことができるようになるのである。
【００２８】
前記取付固定具２７・・の基板部２８・・の各曲折後端部２８’・・は、前記中連板２２の適当位置に係合するようになる。
【００２９】
前記取付固定具２７・・の各基板部２８・・は、前記台枠座材２１の左右両側端部の後側部間に架設した前記支板３２上に載置するようになる。
【符号の説明】
【００３０】
１                            台枠座材
２・・・                      座部材
３・・・                      底板
４・・・                      台板
５                            中連板
６                            雪止め具材
７・・                        縦杆部
８・・                        斜杆部
９・・                        底杆部
１０・・                      横連杆
１１・・                      取付固定具
１２・・                      基板部
１２’・・ 曲折後端部
１３・・                      咬合板部
１４                          ボルト
１５                          ナット
１６                          支杆
２０，２０ 底板
２１                          台枠座材
２２                          中連板
２３                          雪止め具材
２４・・・                    三角杆材
２４’，２４’ 支杆材
２５・・                      横連杆
２６・・                      波形杆材
２７・・                      取付固定具
２８・・                      基板部
２８’・・ 曲折後端部
２９・・                      咬合板部
３０                          ボルト
３１                          ナット
３２                          支板
３２’ 前支板
【手続補正２】
【補正対象書類名】特許請求の範囲
【補正対象項目名】全文
【補正方法】変更
【補正の内容】
【特許請求の範囲】
【請求項１】
適当長さの長方形状に構成した台枠座材上に、全体が三角立体形状に成る長尺の支持杆材の各斜杆部間に横連杆を架設して成る雪止め具材を設置し、前記台枠座材の後側部分の適所に基板部と咬合板部から成る取付固定具を，前記雪止め具材の後側部分から外側方向に開口して設置して成ることを特徴とする屋根用雪止め具の取付装置。
【請求項２】
適当長さの長方形状に構成した台枠座材上に、全体が三角立体形状に成る長尺の支持杆材の縦杆部間及び斜杆部間にそれぞれ横連杆を架設して成る雪止め具材を設置し、前記台枠座材の後側部分の適所に基板部と咬合板部から成る取付固定具を，前記雪止め具材の後側部分から外側方向に開口して設置し、この取付固定具の基板部と咬合板部とは螺子にて緊締閉口するようにし、前記取付固定具の基板部の底面部は前記台枠座材の左右両端側部間に架設した支杆又は支板に載置して成るとともに該取付固定具の後端部は前記台枠座材の左右両側端部間に架設した中連杆の適所に係合して成ることを特徴とする屋根用雪止め具の取付装置。
【手続補正３】
【補正対象書類名】図面
【補正対象項目名】全図
【補正方法】変更
【補正の内容】
【図１】
2016117999.tif 000009
【図２】
2016117999.tif 000010
【図３】
2016117999.tif 000011
【図４】
2016117999.tif 000012
【図５】
2016117999.tif 000013
【図６】
2016117999.tif 000014